(57)【要約】【課題】  燃焼室を構成する燃焼室壁が移動する構成の燃焼式作業工具において、燃焼室壁に配置される点火部に対する合理的な給電に資する技術を提供する。【解決手段】  燃焼室１２１，１２２と、燃焼室を構成する燃焼室壁１２６と、燃焼室に臨む点火領域を有する点火部１３３ａ，１３３ｂと、点火部に電力を供給する電力供給部１３８と、燃焼室に連接されたシリンダ１５３と、シリンダ内に摺動可能に収容されたピストン部材１５５と、を有する燃焼式作業工具において、電力供給部に対しては電気的に接続され、点火部に対しては離間して配置される通電制御部１３４，１３５を設ける。通電制御部は、燃焼室壁の燃焼可能位置への移動に伴って点火部に接触することで電力供給部から当該点火部への通電を許容し、燃焼室壁が燃焼可能位置以外の位置に移動している状態では点火部から離間することで電力供給部から当該点火部への通電を規制する構成とした。【選択図】  図６
2006000956.tif 000002
【特許請求の範囲】
【請求項１】
燃焼室と、
前記燃焼室を構成する燃焼室壁と、
前記燃焼室に臨む点火領域を有する点火部と、
前記点火部に電力を供給する電力供給部と、
前記燃焼室に連接されたシリンダと、
前記シリンダ内に摺動可能に収容されたピストン部材と、を有し、
前記燃焼室壁は、前記燃焼室に空気を導入し、あるいは排気ガスを排出するべく移動する構成とされており、
前記燃焼室壁が前記燃焼室内における可燃性ガスの燃焼を可能とする燃焼可能位置へ移動された状態において、当該燃焼室内で可燃性ガスを前記点火部により燃焼させ、これによって生じた燃焼圧力により前記ピストン部材を先端側へと前進移動させて所定の加工作業を遂行する燃焼式作業工具であって、
前記電力供給部に対しては電気的に接続され、前記点火部に対しては離間して配置された通電制御部を有し、
当該通電制御部は、前記燃焼室壁が前記燃焼可能位置へ移動された状態では当該燃焼室壁の移動に伴って前記点火部に接触することで前記電力供給部から当該点火部への通電を許容し、前記燃焼室壁が前記燃焼可能位置以外の位置に移動している状態では前記点火部から離間することで前記電力供給部から当該点火部への通電を規制する構成としたことを特徴とする燃焼式作業工具。
【請求項２】
請求項１に記載の燃焼式作業工具であって、
前記通電制御部は、前記燃焼室壁の移動方向と同方向に移動可能とされるとともに、当該燃焼室壁とともに移動する前記点火部に対し離間あるいは接触する可動部材と、当該可動部材を前記点火部に向けて常時に付勢する付勢部材とから構成され、前記可動部材および付勢部材は、それぞれが導電材によって形成されていることを特徴とする燃焼式作業工具。
【請求項３】
請求項１または２に記載の燃焼式作業工具であって、
前記工具本体の先端側に配設されるとともに、常時には先端側へと付勢され、被加工材に押付けられることで前記工具本体に対して相対的に後退移動されるコンタクトアームと、
前記点火部の点火を操作する点火操作手段と、を有し、
前記コンタクトアームの被加工材への押し付けに基づく当該コンタクトアームの後退動作によって前記燃焼室壁が燃焼可能位置へ移動され、これにより前記通電制御部が前記点火部に接触した状態において、前記点火操作手段による点火操作によって前記電力供給部の電力を前記点火部に通電させる構成としたことを特徴とする燃焼式作業工具。
【請求項４】
請求項１〜３のいずれかに記載の燃焼式作業工具であって、
前記燃焼室を第１の燃焼室と第２の燃焼室とに区画する隔壁を有するとともに、前記第１の燃焼室に前記点火部を配置し、前記隔壁は前記点火部を中心とした球面状部分、および当該球面状部分に配設されて第１の燃焼室と第２の燃焼室とを連通する多数の連通孔を有し、前記点火部によって前記第１の燃焼室内の可燃性ガスが燃焼される際、当該第１の燃焼室内における可燃性ガスの燃焼面が前記各連通孔に対し概ね同時に到達するよう構成されていることを特徴とする燃焼式作業工具。
【発明の詳細な説明】
【技術分野】
【０００１】
本発明は、可燃性ガスを燃焼させた際の高圧力（衝撃力）を利用して所定の加工作業を遂行する作業工具、すなわち燃焼式作業工具における点火技術に関する。
【背景技術】
【０００２】
いわゆる燃焼式作業工具に関し、釘打機やタッカ等の作業工具の駆動源としてピストン・シリンダ式の内燃機関を用いた具体例が、特開２００３−２６０６７４号公報（特許文献１）に開示されている。特許文献１では、工具本体の先端部に配置されたコンタクトアームを被加工材に押し付けることによって作動される作動スイッチを備えており、当該作動スイッチが作動された状態で、トリガを操作してトリガスイッチを作動したときに電力供給部からの電力が点火部に供給され、これによって燃焼室内の可燃性ガスに点火する構成が開示されている。このように、従来は、電力供給部と点火部とを、コンタクトアームによって作動される作動スイッチと、トリガによって作動されるトリガスイッチとを介在したコード（配線）によって接続し、コンタクトアームが被加工材に押し付けられた場合に限って点火を可能とする構成である。
【０００３】
ところで、燃焼式作業工具においては、燃焼室に対する新鮮な空気の導入あるいは燃焼後の排気ガスを排出するために、当該燃焼室を構成している燃焼室壁を移動させる構成としたものがある。このような構成の燃焼室を備える場合、当該燃焼室に配置される点火部（点火プラグ）は、燃焼室壁とともに移動することになる。従って、電力供給部と点火部とを配線によって接続する構成では、当該配線に点火部の移動を許容するための弛み部分を設定する構成が必要であり、またハウジング側に配線の弛み部分を収容するための収容スペースを確保しなければならない等の点でなお改良の余地がある。
【特許文献１】特開２００３−２６０６７４号公報
【発明の開示】
【発明が解決しようとする課題】
【０００４】
本発明は、かかる点に鑑みてなされたものであり、燃焼室を構成する燃焼室壁が移動する構成の燃焼式作業工具において、燃焼室壁に配置される点火部に対する合理的な給電に資する技術を提供することを目的とする。
【課題を解決するための手段】
【０００５】
上記課題を達成するため、特許請求の範囲の各請求項に記載の発明が構成される。
請求項１に記載の発明によれば、燃焼室と、燃焼室を構成する燃焼室壁と、燃焼室に臨む点火領域を有する点火部と、点火部に電力を供給する電力供給部と、燃焼室に連接されたシリンダと、シリンダ内に摺動可能に収容されたピストン部材と、を有する燃焼式作業工具が構成される。燃焼室壁は、燃焼室に空気を導入し、あるいは排気ガスを排出するべく移動する構成とされている。燃焼室壁の移動は、典型的には、燃焼室を収容する工具本体の先端側に配設されるとともに、常時には付勢手段によって先端側へと付勢され、被加工材に押付けられることによって工具本体に対して相対的に後退移動されるコンタクトアームによって遂行される。そして燃焼室壁が燃焼室内における可燃性ガスの燃焼を可能とする燃焼可能位置へ移動された状態において、燃焼室の可燃性ガスを点火部の点火領域によって燃焼させると、燃焼室内の可燃性ガスの燃焼作用によって生じた燃焼圧力でピストン部材が前進移動し、これにより所定の加工作業を遂行する。「所定の加工作業」としては、典型的には、釘やステープル等を被加工材に打込むための作業がこれに該当する。また本発明における「燃焼可能位置」とは、典型的には、燃焼室壁の移動行程における一方の行程端部がこれに該当するが、当該行程端部に限らず、その近傍位置を好適に包含する。
【０００６】
本発明における燃焼式作業工具においては、特徴的構成として、工具本体に設けられるとともに、電力供給部に対しては電気的に接続され、点火部に対しては離間して配置された通電制御部を有する。通電制御部は、燃焼室壁が燃焼可能位置へ移動された状態では、当該燃焼室壁の移動に伴って点火部に接触することで電力供給部から当該点火部への通電を許容し、燃焼室壁が燃焼可能位置以外の位置に移動している状態では、点火部から離間することで電力供給部から当該点火部への通電を規制する構成としている。ここで「電力供給部が点火部に接触する」態様としては、点火領域を構成する電極に直接に接触する態様はもとより、電極に接続された導電片を設定し、この導電体に接触する態様をも好適に包含する。また「通電を許容する」とは、電力供給部から点火部に電力を供給することが可能な状態にすることを指し、「通電を規制する」とは、電力を供給できない状態にすることをいう。また「電力供給部」とは、典型的には点火操作手段（トリガ）の操作によって高圧電力を発生する圧電素子がこれに該当する。
本発明によれば、電力供給部と点火部との間に、当該点火部に接触することで電力供給部から点火部への通電を許容し、離間することで当該通電を規制する通電制御部を設けており、当該通電制御部が点火部に接触した状態で点火する構成のため、点火部をコードによる制約を受けることなく大幅に移動することが可能となる。また本発明では、燃焼室内に可燃性ガスが充填されて当該可燃性ガスの燃焼が可能とされた時期に点火部への通電を許容するものであり、点火が必要とされる時期に確実に点火することができる。
【０００７】
（請求項２に記載の発明）
請求項２に記載の発明によれば、請求項１に記載の燃焼式作業工具における通電制御部は、燃焼室壁の移動方向と同方向に移動可能とされるとともに、当該燃焼室壁とともに移動する点火部に対し離間あるいは接触する可動部材と、当該可動部材を点火部に向けて常時に付勢する付勢部材とから構成され、可動部材および付勢部材は、それぞれが導電材によって形成された構成とされる。「可動部材」としては、金属製または炭素素材製のボール、柱状部材あるいは筒状部材等を好適に包含する。また「付勢部材」としては、典型的には金属製のコイルスプリングがこれに該当する。本発明によれば、導電材によって形成された可動部材および付勢部材を、点火部の移動領域の一部につき当該点火部の移動動作に追従動作させることができ、これにより、通電領域に幅を持たせて給電作用の安定化を図ることができるとともに、点火部と可動部材の接触時の衝撃を緩和できる。
【０００８】
（請求項３に記載の発明）
請求項３に記載の発明によれば、請求項１または２に記載の燃焼式作業工具は、燃焼室を収容する工具本体の先端側に配設されるとともに、常時には先端側へと付勢され、被加工材に押付けられることで工具本体に対して相対的に後退移動されるコンタクトアームと、点火部の点火を操作する点火操作手段と、を有している。そしてコンタクトアームの被加工材への押し付けに基づく当該コンタクトアームの後退動作によって燃焼室壁が燃焼可能位置へ移動され、これにより通電制御部が点火部に接触した状態において、点火操作手段による点火操作によって電力供給部の電力を点火部に通電させる構成とされる。
上記構成によれば、コンタクトアームが被加工材に押し付けられて後退動作されたときに限り、通電制御部が点火部に接触して通電可能とされる。換言すれば、コンタクトアームが押し込まれない状態では、点火部と電力供給部が分離しており、たとえ点火操作手段が点火操作されても電力の供給を規制することができる。
【０００９】
（請求項４に記載の発明）
請求項４に記載の発明によれば、請求項１〜３のいずれかに記載の燃焼式作業工具において、燃焼室を第１の燃焼室と第２の燃焼室とに区画する隔壁を有するとともに、第１の燃焼室に点火部を配置し、隔壁は前記点火部を中心とした球面状部分、および当該球面状部分に配設されて第１の燃焼室と第２の燃焼室とを連通する多数の連通孔を有し、点火部によって第１の燃焼室内の可燃性ガスが燃焼される際、当該第１の燃焼室内における可燃性ガスの燃焼面が前記各連通孔に対し概ね同時に到達するよう構成されている。ここでいう「燃焼面」とは、可燃性ガスが燃焼する際の既燃焼部分と未燃焼部分の境界面をいい、典型的には「火焔面（火炎面）」がこれに該当する。なお燃焼ガスの燃焼面の到達タイミングは各連通孔で厳密に一致することまでを必要とせず、隔壁の「球面状部分」は、隔壁の該当箇所における曲率が一定とされた態様のみならず、曲率が多少異なる態様、すなわち断面が楕円状の球面も好適に包含する。換言すれば、球面状部分の全領域が点火部を中心として厳密に等径とされることまでは必要ではない。また隔壁は、その全体にわたって球面状とされてもよく、あるいは隔壁の一部のみを球面状としてもよい。
【００１０】
本発明によれば、隔壁につき、点火部を中心とする概ね等径の球面状部分として構成しているため、第１の燃焼室において点火部から発した混合気の燃焼面は、当該点火部に対して等半径とされた球面状部分の各連通孔に概ね同時に到達する。このため、第２の燃焼室内の可燃性ガスが、隔壁周辺領域から満遍なく、かつ同時的に点火されることになり、これによって当該第２の燃焼室内の燃焼エネルギをバランスよくピストン部材側へ伝達することが可能とされる。換言すれば、第２の燃焼室内の可燃性ガスにつき、隔壁の各連通孔を通じた燃焼開始のタイミングにばらつきが生じにくいため、第２の燃焼室内での燃焼コントロール性、ひいては燃焼効率を向上することが可能となる。
【発明の効果】
【００１１】
本発明によれば、燃焼室を構成する燃焼室壁が移動する構成の燃焼式作業工具において、燃焼室壁に配置される点火部に対する合理的な給電に資する技術が提供されることとなった。
【発明を実施するための最良の形態】
【００１２】
以下、本発明の実施の形態につき、図面を参照しつつ、詳細に説明する。
本発明の実施の形態に係る釘打機１０１の全体構成が図１〜図５に示され、また燃焼室周辺部が図６および図７に拡大図として示されている。図８は図７のIIX-IIX線断面図である。釘打機１０１は、本発明における「燃焼式作業工具」の一例であり、図１〜図５に示すように、メインハウジング１０３、射出部１１０、ハンドグリップ１０５、マガジン１０９により、その外郭が形成されている。なおメインハウジング１０３および射出部１１０、ハンドグリップ１０５、マガジン１０９によって本発明における「工具本体」が構成されている。メインハウジング１０３内には、第１燃焼室１２１、第２燃焼室１２２、点火装置１３１、燃料噴射装置１４１、および駆動部１５１が収容される。すなわち、本実施の形態に係る釘打機１０１は、第１燃焼室１２１と第２燃焼室１２２とからなる複数の燃焼室を有する構成とされる。なお以下においては、射出部１１０側を前側（図１〜図５における左側）、その反対側（図１〜図５における右側）を後側として説明する。
【００１３】
本実施の形態では、燃焼室は、長軸方向（すなわち、釘打機１０１の長軸方向）において、第１燃焼室１２１と第２燃焼室１２２とに区画されており、第１燃焼室１２１につき、後述する混合気の点火領域として使用するとともに、第２燃焼室１２２につき、釘打込み作業に必要な大きな燃焼エネルギを得るための領域として使用するよう構成されている。上記の第１燃焼室１２１が本発明における「第１の燃焼室」に対応し、第２燃焼室１２２が本発明における「第２の燃焼室」に対応する。
【００１４】
第１燃焼室１２１は、当該第１燃焼室１２１を第２燃焼室１２２と区画するための外形が円形の隔壁部１２３と、第２燃焼室１２２と反対側に位置する概ね平坦状の端部壁面を有する円形のスライドエンドプレート１２９とによって囲まれて形成されている。すなわち、隔壁部１２３は、外周側には平坦面部１２３ａを備え、中央部側には第２燃焼室１２２側に膨出する球面状部分１２３ｂを備えた構成とされており、平坦面部１２３ａがスライドエンドプレート１２９の端部壁面に密着状に接触されて固定されている。上記の隔壁部１２３が本発明における「隔壁」に対応する。隔壁部１２３の球面状部分１２３ｂは、点火装置１３１の点火部を中心として概ね等径かつ半球状に形成されている。隔壁部１２３の球面状部分１２３ｂには多数の連通孔１２５が穿設状に形成されている（図８参照）。この連通孔１２５を介して第１燃焼室１２１と第２燃焼室１２２とが連通状態とされる。すなわち、点火部から各連通孔１２５までの距離がそれぞれ等距離となるように設定され、第１燃焼室１２１内の混合気が点火装置１３１の点火部によって点火されて燃焼される際、当該第１燃焼室１２１内の燃焼面（火焔面）が各連通孔１２５に概ね同時に到達するよう構成されている。なお点火部は、互いに所定の間隙を隔てて対向状に配置される２つの電極１３３ａ，１３３ｂによって構成されるが，このことについては後述する。
【００１５】
第２燃焼室１２２は、駆動部を構成するピストン１５５、円筒形のスライドスリーブ１２７およびピストン１５５と対向状に配置される隔壁部１２３によって囲まれる空間として形成される。上記のピストン１５５が本発明における「ピストン部材」に対応する。なおピストン１５５の頂面（隔壁部１２３との対向面）は、隔壁部１２３の球面状部分１２３ｂに対応する相似形状に形成された球面状凹部１５５ａとされている。隔壁部１２３、スライドスリーブ１２７およびスライドエンドプレート１２９は、周方向に配置される複数のネジ１２８によって相互に締結固定されており、これら３つの部材によって前端が開放された筒状の燃焼室壁１２６が構成されている。すなわち、スライドスリーブ１２７によって第２燃焼室１２２の周壁面を構成し、隔壁部１２３によって第２燃焼室１２１の端部壁面および第１燃焼室１２１の球面状壁面をそれぞれ構成し、スライドエンドプレート１２９によって第１燃焼室１２１の端部壁面を構成している。上記の燃焼室壁１２６によって「可動部材」が構成されている。
【００１６】
燃焼室壁１２６は、釘打機１０１の長軸方向（前後方向）への移動が可能とされ、コンタクトアーム１１１と連結されている。そしてコンタクトアーム１１１は、付勢手段としてのスプリング１１２によって常時には先端側（前方）へと付勢されており、燃焼室壁１２６も前方へと移動されている。この状態が図１に示す釘打機１０１の初期状態であり、第２燃焼室１２２の容積が零または零に近い状態まで減少されている。
【００１７】
一方、釘打機１０１を被加工材Ｗ（図２参照）に向かって移動させるとともにコンタクトアーム１１１を被加工材に押し付けると、当該被加工材にて押されたコンタクトアーム１１１は、スプリング１１２の付勢力に抗して反対方向へと移動される。このコンタクトアーム１１１の後退動作は、スライドスリーブ１２７に伝達される。このため、燃焼室壁１２６が後述する大気室１７１の端部壁面を構成する固定エンドプレート１７５側へと移動され、スライドエンドプレート１２９の端部が当該固定エンドプレート１７５に接触する。この状態が図２に示されている。
【００１８】
燃焼室壁１２６が前後方向に移動することに伴い第２燃焼室１２２の容積は、減少あるいは増加する。このように、第２燃焼室１２２は、燃焼室壁１２６の移動に伴い容積が変化する構成とされるが、相互に固定されて一体に移動する隔壁部１２３とスライドエンドプレート１２９によって形成される第１燃焼室１２１は、容積が変化しない定常的な容積を有する構成とされる。すなわち、燃焼室は燃焼室壁１２６が前後に移動しても容積が変化しない第１燃焼室１２１と、容積が変化する第２燃焼室１２２とから構成されている。
【００１９】
燃焼室壁１２６におけるスライドスリーブ１２７の前端部（開口端側）には、内周径が小径とされた小径部１２７ａが形成されている。この小径部１２７ａは、燃焼室壁１２６が後端部に位置しているときには、その内周面が後述するシリンダ１５３の端部外周に形成された円形のフランジ部１５３ａと外周面にＯリング１５４を介してシールすることで第２燃焼室１２２を密封する構成とされる。そして燃焼室壁１２６が前方へと移動されたときには、小径部１２７ａは、移動開始後、間もなくフランジ部１５３ａ（Ｏリング１５４）から離れ、Ｏリング１５４の外周と、スライドスリーブ１２７の内周面との間に間隙１２７ｂが生じ、この間隙１２７ｂを介して第２燃焼室１２２がハウジング１０３の内部空間１０４（ハウジング１０３とシリンダ１５３外周面間の間隙であり、釘打機１０１の外部に連通される）に連通される構成とされる。
【００２０】
スライドエンドプレート１２９を挟んで第１および第２燃焼室１２１，１２２の反対側（後側）には、大気室１７１が形成されている。大気室１７１は、円筒状の固定スリーブ１７７、当該固定スリーブ１７７内に摺動自在に嵌入されるスライドエンドプレート１２９および当該スライドエンドプレート１２９に対向状に配置される固定エンドプレート１７５によって囲まれる空間として形成される。なお固定エンドプレート１７５と固定スリーブ１７７は一体に形成されている。固定エンドプレート１７５によって大気室１７１の端部壁面が構成され、固定スリーブ１７７によって大気室１７１の周壁面が構成され、これら両部材によって前端部が開放された筒状の大気室壁１７３が構成されている。固定スリーブ１７７とスライドエンドプレート１２９の摺動面は、Ｏリング１７９を介してシールされている。
【００２１】
固定エンドプレート１７５は、外周縁部がメインハウジング１０３の後端部に配置される多数の通気孔１０６ｂを有するハウジングキャップ１０６とともに、当該メインハウジング１０３に図示省略のネジによって共締めによって締結されている。このように、大気室１７１は、第１および第２燃焼室１２１，１２２から分離されかつ固定された空間であって、燃焼室壁１２６の移動、直接的にはスライドエンドプレート１２９の移動に伴い容積が変化する空間として設定される。すなわち、スライドエンドプレート１２９が、第２燃焼室１２２の容積を減少させる方向へ移動（前進）するときには、大気室１７１の容積が増大し、第２燃焼室１２２の容積を増大させる方向へ移動（後退）するときには、大気室１７１の容積が減少する構成とされる。そして大気室１７１の最大容積は、第２燃焼室１２１の容積が最大とされたときの第１および第２燃焼室１２１，１２２の総容積よりも大きく設定されている。
【００２２】
大気室壁１７３における固定エンドプレート１７５には、当該固定エンドプレート１７５とハウジングキャップ１０６によって囲まれる空間１０６ａ（実質的には大気であり、以下、この空間１０６ａについては、単に大気という）と大気室１７１とを連通する吸気口１６１が設けられ、この吸気口１６１には、吸入弁１６３が設けられている。吸入弁１６３は、大気の空気を大気室１７１に吸入するべく吸気口１６１を開閉する逆止弁として構成され、大気室１７１側に配置されている。吸入弁１６３は、大気室１７１の室内と室外との圧力差に基づき大気室１７１側に弾性変形することで大気から大気室１７１への空気の流れを許容し、その逆の流れを規制する構成とされる。上記の吸気口１６１および吸入弁１６３によって「第１の弁手段」が構成される。
【００２３】
スライドエンドプレート１２９には、大気室１７１と第１燃焼室１２１とを連通する吸気口１６５が形成され、この吸気口１６５には、吸入弁１６７が設けられている。吸入弁１６７は、大気室１７１内の空気を第１燃焼室１２１に吸入するべく吸気口１６５を開閉する逆止弁として構成され、第１燃焼室１２１側に配置されている。そして吸入弁１６７は、第１燃焼室１２１と大気室１７１との圧力差に基づき当該第１燃焼室１２１側に弾性変形することで大気室１７１から第１燃焼室１２１への空気の流れを許容し、その逆の流れを規制する構成とされる。上記の吸気口１６５および吸入弁１６７によって「第２の弁手段」が構成される。
【００２４】
また大気室壁１７３における固定エンドプレート１７５には、当該大気室１７１内に所定長さで突出する棒状のシール部材１６９が設けられている。このシール部材１６９は、燃焼室用の吸気口１６５と対向するように配置されており、燃焼室壁１２６が後退端部（後端側ストロークエンド）に位置したときに、燃焼室用の吸気口１６５内に嵌まり込むことで、当該吸気口１６５を密封するとともに、嵌り込んだ状態では、前端面が吸入弁１６７の背面（後面）に当接する構成とされる。
【００２５】
点火装置１３１は、点火用プラグ１３３および当該点火用プラグ１３３に高圧電流を供給する圧電素子１３８からなる。点火用プラグ１３３の点火部は、対向状に配置される２つの電極（陽極）１３３ａ，１３３ｂを主体として構成され、一方の電極１３３ａが中心電極を構成し、他方の電極１３３ｂが接地電極を構成する。なお対向状に配置される２つの電極１３３ａ，１３３ｂの対向端部が本発明でいう「点火領域」に対応する。一方の電極１３３ａは、第１燃焼室１２１の端部壁面を構成するスライドエンドプレート１２９の中央部に配置されるとともに、先端部がスライドエンドプレート１２９の取付面に対して概ね面一となるよう設定されている。他方の電極（陰極）１３３ｂは、スライドエンドプレート１２９の中央部から外れた位置に配置されるとともに、第１燃焼室１２１の中央部側へと延出され、一方の電極１３３ａの先端（前端）に対し所定の隙間を置いて対向されている。上記の点火プラグ１３３の点火部が本発明における「点火部」に対応し、また圧電素子１３８が本発明における「電力供給部」に対応する。
【００２６】
一方の電極１３３ａは、固定エンドプレート１７５に設けた導通材料製（金属製）のボール（鋼球）１３４および導通材料製（金属製）のスプリング１３５および電気配線１３６を介して圧電素子１３８と電気的に接続されている。ボール１３４およびスプリング１３５は、点火用回路の一部を構成している。ボール１３４は一方の電極１３３ａの後端に対向するように配置されるとともに、燃焼室壁１２６が前方または後方へ移動することに伴い一方の電極１３３ａに対し接触あるいは離間される。すなわち、一方の電極１３３ａは、燃焼室壁１２６が第２燃焼室１２２の容積を最大付近とする位置（後退端部付近）へ移動されたときには、ボール１３４に接触することで電気的に接続されて通電（点火）を許容され、燃焼室壁１２６が第２燃焼室１２２の容積を減少する方向へ移動したときには、ボール１３４から離間することで電気的接続が断たれて通電（点火）を規制される構成とされる。上記のボール１３４およびスプリング１３５によって本発明における「通電制御部」が構成される。また上記の第２燃焼室１２２の容積を最大付近とする位置が本発明における「燃焼可能位置」に対応する。
【００２７】
ボール１３４は固定エンドプレート１７５に設けられた電気絶縁材料からなる保持部材１３７の孔１３７ａ内に移動可能に嵌合されるとともに、スプリング１３５によって電極１３３ａ側に付勢されている。これにより、燃焼室壁１２６が後方へ移動されるとき、ボール１３４は燃焼室壁１２６が後退端（ストロークエンド）に接近した時点で電極１３３ａの後端に当接し、その後、当該電極１３３ａとの接触状態を維持しつつ後退動作する。かくしてスプリング１３５は、ボール１３４と電極１３３ａとの接触状態を所定の範囲に亘って安定して保持するべく付勢する。上記のボール１３４が本発明における「可動部材」に対応し、またスプリング１３５が本発明における「付勢部材」に対応する。なお、点火装置１３１の点火動作は、ハンドグリップ１０５に配置されたトリガ１０７の引き絞り操作によって圧電素子１３８を変形させ、これにより発生した高圧電流を電極１３３ａ，１３３ｂ間に放電させることで遂行される。また他方の電極１３３ｂはスライドエンドプレート１２９にボディアースされている。上記のトリガ１０７が本発明における「点火操作手段」に対応する。
【００２８】
燃料噴射装置１４１は、第１燃焼室１２１から隔壁部１２３を貫通して第２燃焼室１２２へと延在するパイプ状部材１４５を主体として構成され、当該パイプ状部材１４５には、各燃焼室１２１，１２２に臨む適所に燃料噴射孔１４３が穿設状に形成されている。なお燃料噴射装置１４１は燃料容器（燃料ボンベ）１４９に接続されて燃料の供給を受ける。燃料噴射装置１４１による燃料噴射量は、第１燃焼室１２１および第２燃焼室１２２の各実効容積に応じて個別に設定されている。
【００２９】
燃料噴射装置１４１を構成するパイプ状部材１４５は、スライドエンドプレート１２９に固定されるとともに、一端（先端）側が第１燃焼室１２１を構成する隔壁部１２３の球面状部分１２３ｂの内周面に沿って延在するとともに、当該球面状部分１２３ｂの中心部を貫通して第２燃焼室１２２へと突出されている。すなわち、球面状部分１２３ｂを貫通して第２燃焼室１２２内に突出されたパイプ状部材１４５の突出先端部１４５ａは、当該突出先端部１４５ａの中心線が当該第２燃焼室１２２の中心を通って長軸方向に延びる中心線上に位置するように配置される。突出先端部１４５ａには、図８に示すように、第２燃焼室１２２内に燃料を斑なく噴射させるべく半径方向（放射状）、すなわち長軸方向と略直交する方向に貫通する複数の燃料噴射孔１４３が設けられている。燃焼室壁１２６が第２燃焼室１２２の容積を減少する方向へ移動するとき、パイプ状部材１４５の突出先端部１４５ａは、ピストン１５５の頂面中央部に形成された格納空間１５５ｂに収容される構成とされ、これにより第２燃焼室１２２の容積が零または零に近い状態まで減少することが可能とされる。
【００３０】
またパイプ状部材１４５は、図７に明瞭に示されるように、球面状部分１２３ｂの内周面に沿って配置される湾曲部１４５ｂに、第１燃焼室１２１に燃料を噴射する少なくとも１個の燃料噴射孔１４３を有する。この燃焼噴射孔１４３は、点火装置１３１の点火部に向けて燃料を噴射するよう設定されている。なお点火装置１３１の点火部を構成する電極１３３ａ、１１３ｂのうち、他方の電極１３３ｂは、第１燃焼室１２１内に突出状に配置されて一方の電極１３３ａに所定の間隙（プラグギャップ）を置いて対向するべくＬ形に屈曲されて延出する構造とされている。本実施の形態では、このプラグギャップ間に燃料が直接降り掛からないようにするために、他方の電極１３３ｂの背面側に向けて燃料を噴射するようにパイプ状部材１４５を配置している。すなわち、パイプ状部材１４５は、湾曲部１４５ｂの燃料噴射孔１３４から噴射される燃料が、他方の電極１３３ｂの延在部分を挟んで一方の電極１３３ａに向けて噴射するよう配置されている。
【００３１】
なおパイプ状部材１４５の他端（基端）側は、スライドスリーブ１２７の外周面と固定スリーブ１７７の内周面との間を通って延在するとともに、燃料容器１４９から供給された燃料を導く燃料通路構成部材１４６の燃料供給通路１４７内に挿入されており、燃焼室壁１２６の移動に伴い燃料供給通路１４７内を摺動する構成とされる。なお燃料容器１４９からの燃料の供給は、コンタクトアーム１１１を被加工材Ｗに押し付ける動作に連動して遂行される構成とされる。
【００３２】
駆動部１５１は、メインハウジング１０３内に収容されたシリンダ１５３と、このシリンダ１５３内に摺動可能に配置されたピストン１５５と、このピストン１５５に一体状に連接されたピストンロッド１５７を主体として構成される。ピストンロッド１５７の先端側は、射出部１１０内に配されて釘（図示省略）を前方に打ち出すための射出装置に連接されている。またシリンダ１５３内部の先端側には、高速駆動されたピストン１５５の衝撃を吸収緩和してピストン１５５を受け止めるためのクッションラバー１５９が適宜配置されている。さらにシリンダ１５３には、当該シリンダ１５３のボア１５３ａ内をハウジング１０３の内部空間１０４に連通する通気口１１４を開閉するための逆止弁１１３が設けられている。この逆止弁１１３は、シリンダ１５３のボア１５３ａ内の気体が内部空間１０４に流出することを許容する一方、内部空間１０４の気体がシリンダ１５３のボア１５３ａ内に流入することを規制する一方向弁として構成されている。
【００３３】
マガジン１０９は、釘打機１０１のメインハウジング１０３先端側に形成された射出部１１０に取り付けられ、相互に連接された多数の釘を収容するとともに、打込み対象となる釘を射出部１１０に臨ませる。なおマガジン１０９自体の構成は周知ゆえ、その詳細な説明については、便宜上省略する。
そして射出部１１０の先端に前述したコンタクトアーム１１１が配される。コンタクトアーム１１１は、射出部１１０の長軸方向（すなわち釘打機１０１の長軸方向であって、図１〜図５では左右方向に相当する）につき、当該射出部１１０に対し相対的に摺動動作可能とされ、常時にはスプリング１１２によって先端側（図１〜図５において左側）へと付勢されている。なお上記のスプリング１１２は、前述したスライドスリーブ１２７の付勢手段を兼用する。
【００３４】
本実施の形態に係る釘打機１０１は上記のように構成される。次に当該釘打機１０１の作用について説明する。釘打機１０１は常には図１図に示す状態を初期状態としている。この初期状態では、スプリング１１２の付勢力によって燃焼室壁１２６が前方へ移動されており、第２燃焼室１２２の容積が最小（零または零に近い状態）まで減少され、大気室１７１の容積が最大に増大されている。またピストン１５５が上死点に位置している。また点火用プラグ１３３の一方の電極１３３ａがボール１３４から離間されており、圧電素子１３８と当該電極１３３ａとの電気的接続が遮断され、これによりプラグの点火が規制されている。
【００３５】
かかる状態で、釘打機１０１を用いて釘の打込み作業を遂行するには、図２に示すように、まずコンタクトアーム１１１を被加工材Ｗに当接後、作業者が当該被加工材方向への押圧力を釘打機１０１に作用させる。するとコンタクトアーム１１１はスプリング１１２による付勢力に抗しつつ被加工材Ｗから離間する側へと後退動作する。コンタクトアーム１１１の後退動作により、当該コンタクトアーム１１１と連接された燃焼室壁１２６が後退動作する。この燃焼室壁１２６の後退動作により、第２燃焼室１２２の容積が増大されるとともに、大気室１７１の容積が減少される。そして、スライドエンドプレート１２９の外周後端部が大気室壁１７３の固定エンドプレート１７５の外周前端面に当接することで燃焼室壁１２６の移動が規制される。このとき、第２燃焼室１２２の容積が最大状態とされ、大気室１７１の容積が最小状態とされる。また第１燃焼室１２１の容積と第２燃焼室１２２の容積が所定の容積比に設定されることになる。
【００３６】
また燃焼室壁１２６が後退動作し、後退端に接近した時点で一方の電極１３３ａがボール１３４に接触し、当該ボール１３４、スプリング１３５および電気配線１２６を介して圧電素子１３８と電気的に接続された状態となる。さらにまた、シール部材１６９が燃焼室用の吸気口１６５に嵌まり込んでシールするとともに、シール部材１６９の先端が吸気弁１６７の背面に当接する。
【００３７】
また燃焼室壁１２６の後退動作時において、当該燃焼室壁１２６が後退端に接近した時点で燃料容器１４９から燃料が供給され、当該燃料が燃料供給通路１４７、パイプ状部材１４５を経て給送され、当該パイプ状部材１４５に設けられた燃料噴射孔１４３から各燃焼室１２１，１２２に噴射される（図７参照）。この場合、本実施の形態においては、第１燃焼室１２１では、その後に遂行される点火時の着火効果を高めるべく、燃料がパイプ状部材１４５における湾曲部１４５ｂの燃料噴射孔１４３から点火プラグの中心、すなわち点火部に向かって噴射される構成とされる。一方、第２燃焼室１２２では、燃料が突出先端部１４５ａの燃料噴射孔１４３から第２燃焼室１２２内に径方向へと放射状に噴射される。第１および第２燃焼室１２１，１２２への燃料供給量は、各燃焼室１２１，１２２の容積に応じてそれぞれ設定されている。また噴射された燃料は、各燃焼室１２１，１２２内の空気と混合され、これにより各燃焼室１２１，１２２内は混合気で満たされる。この混合気が本発明における「可燃性ガス」に対応する。
【００３８】
コンタクトアーム１１１の後退動作後、作業者がハンドグリップ１０５に設けられたトリガ１０７を引き絞り操作すると、第１燃焼室１２１に設けられた点火装置１３１による点火動作が遂行される。これらにより第１燃焼室１２１内における点火・燃焼動作が円滑かつ高効率で実現される。
【００３９】
点火装置１３１による点火動作がなされると、図３に示すように、第１燃焼室１２１内に充填された混合気は点火部近傍領域より着火され、第１燃焼室１２１内の混合気の燃焼が開始される。混合気の燃焼作用は爆発的であり、当該混合気の燃焼面（火焔面）が非常に短い時間で隔壁部１２３へ到達する。このとき、本実施の形態では、隔壁部１２３につき、点火部を中心とする概ね等径の球面状部分１２３ｂとして構成しているため、点火部から発した混合気の燃焼面は、当該点火部に対して等半径とされた球面状部分１２３ｂへと概ね同時に到達する。このため、隔壁部１２３の境界面全体に渡って、第２燃焼室１２２の着火タイミングを各連通孔１２５で統一化することが可能であり、第２燃焼室１２２での燃焼開始タイミングを効果的にコントロールすることが可能とされる。
【００４０】
第２燃焼室１２２内に充填された混合気は、隔壁部１２３の表面全体領域より各連通孔１２５を経て同時的に着火され、第２燃焼室１２２内の混合気の燃焼が開始される。第２燃焼室１２２の容積は、第１燃焼室１２１の容積よりも大きく設定されており、第２燃焼室１２２内の混合気の燃焼により大きな燃焼圧力が発生する。これにより、ピストン１５５は、シリンダ１５３内を被加工材方向へと摺動状に移動動作（前進）されることとなる。
【００４１】
なおピストン１５５がシリンダ１５３内を摺動動作する際、当該摺動動作に伴ってピストンロッド１５７側のシリンダ１５３内部空間が縮小されていくが、かかる空間内の空気は、逆止弁１１３を通じて外部（ハウジング１０３の内部空間１０４）に放出されるため、ピストン１５５の摺動動作を阻害することはない。また第１燃焼室１２１の燃焼時に当該第１燃焼室１２１内は、相当の高圧状態となるが、本実施の形態では、燃焼室用の吸気口１６５内に差し込まれたシール部材１６９によって吸入弁１６７の背面を支持し、これにより吸入弁１６７が燃焼時の高圧により変形あるいは破損することから保護し、当該吸入弁１６７の耐久性を向上し、また第１燃焼室１２１内のガスが吸気口１６５から大気室１７１に流出することを未然に防止することができる。
【００４２】
ピストン１５５がシリンダ１５３内を摺動動作するのに連動してピストンロッド１５７が被加工材方向へと直線状に移動し、これによって射出部１１０にセットされた釘が被加工材側へと高速で射出されて打込まれる。このときシリンダ１５３内を被加工材方向へ高速移動したピストン１５５は、クッションラバー１５９に当接し、その運動エネルギが吸収緩和されて停止する。すなわち、ピストン１５５は下死点に到達して停止する。この状態が図３に示されている。なおピストン１５５の下死点への移動時において、当該ピストン１５５が逆止弁１１３を通過すると、ピストン１５５の前進動作に用いられた第１および第２燃焼室１２１，１２２内の排気ガスは、当該逆止弁１１３を通じて室外（ハウジング１０３の内部空間１０４）へと排出される。
【００４３】
釘の打込み作業が終了する段階では、逆止弁１１３から排気ガスが排出することに伴って第１および第２燃焼室１２１，１２２内に収縮冷却作用が生じる。これによって当該第１および第２燃焼室１２１，１２２内に負圧が発生し吸引作用が生じる。このため、ピストン１５５は被加工材Ｗから離間する側へと自動的に後退動作を開始する。このとき、本実施の形態では、燃焼室用の吸気口１６５がシール部材１６９によって封止されているため、大気室１７１から第１燃焼室１２１に空気が流入することを防止し、ピストン１５５を初期位置へと確実に戻すことができる。
また作業者が被加工材方向へと作用させていた釘打機１０１に対する押圧加重を解除することにより、図４に示すように、メインハウジング１０３側へ相対的に後退していたコンタクトアーム１１１が、スプリング１１２の付勢力を介して前方（被加工材方向）へ移動する。コンタクトアーム１１１の前進動作に伴って、燃焼室壁１２６が前方（ピストン１５５側）へ移動する。これにより、燃焼室壁１２６のスライドスリーブ１２７の小径部１２７ａがシリンダ１５３のフランジ部１５３ａから離れ、当該スライドスリーブ１２７の内周面とフランジ部１５３ａの外周面との間に間隙１２７ｂが生じ、第２燃焼室１２２が当該間隙１２７ｂを経て室外（ハウジング１０３の内部空間１０４）に連通される。
【００４４】
ところで、燃焼室壁１２６の先端方向への前進動作は、作業者の、釘打機１０１に対する被加工材方向への押圧加重の解除時期に支配されるものであるが、この燃焼室壁１２６の前進動作は、ピストン１５５の後退動作が終了した後で遂行される。すなわち、ピストン１５５の後退動作は、第１および第２燃焼室１２１，１２２内に発生する冷却作用に伴う吸引力（負圧）によって瞬時に遂行される。したがって、作業者が釘打機１０１の被加工材方向への押圧加重を普通に解除操作する限り、燃焼室壁１２６の前進動作が開始される前の段階で、ピストン１５５が後退動作を終了して前進動作を開始する前の初期位置（図４参照）に復帰されることになる。この時点では、前述したように、シール部材１６９によって燃焼室用の吸気口１６５をシールしているため、大気室１７１から第１燃焼室１２１への空気の流入が抑えられ、これにより第１および第２燃焼室１２１，１２２の負圧状態を維持し、ピストン１５５を初期位置へと確実に復帰させることが可能となる。
【００４５】
さて、燃焼室壁１２６の前進動作により、図４に示すように、第２の燃焼室１２２の容積が減少されるとともに、スライドスリーブ１２７の内周面とフランジ部１５３ａの外周面間の間隙１２７ｂを経て第２燃焼室１２２が室外と連通される。すると、第２燃焼室１２２内の排気ガスは、当該第２燃焼室１２２の容積が減少されることに伴い間隙１２７ｂを経て室外へと排出される。一方、燃焼室壁１２６の前進動作により、スライドエンドプレート１２９が固定エンドプレート１７５から離れ、それに伴い大気室１７１の容積が増大されるとともに、シール部材１６９が燃焼室用の吸気口１６５から抜け出し、当該吸気口１６５を開放する。また一方の電極１３３ａがボール１３４から離れ、圧電素子１３８に対する電気的接続が遮断される。
【００４６】
大気室１７１内の容積が増大されると、それに伴い当該大気室１７１内の圧力が低下する。その結果、大気室１７１内の圧力と、ハウジングキャップ１０６内の大気圧との圧力差によって当該ハウジングキャップ１０６内の空気が大気室用の吸気口１６１から吸入弁１６３を押し退けて吸入される。このとき、燃焼室用の吸入弁１６７は、燃焼室用の吸気口１６５の周縁部に密着され、第１燃焼室１２１内の排気ガスが大気室１７１内に流出（漏出）することを防止する。そして燃焼室壁１２６が前進端（ストロークエンド）に達した時点で、第２燃焼室１２２の容積が最小（零）となり、当該第２燃焼室１２２内の排気ガスが室外へと排出され、一方大気室１７１の容積が最大となり、当該大気室１７１内には新鮮な空気が貯留される。すなわち、図１に示す初期状態に復帰する。この初期状態への復帰時において、第２燃焼室１２２に突出しているパイプ状部材１４５の先端突出部１４５ａは、ピストン１５５に設けた格納空間１５５ｂに収容される。
【００４７】
引き続いて釘打ち作業を遂行するべくコンタクトアーム１１１を被加工材Ｗに押し付けると、前述したように、燃焼室壁１２６が後退動作される。この状態が図５に示される。この燃焼室壁１２６の後退動作により、第２燃焼室１２２の容積が増大されるとともに、大気室１７１の容積が減少されるため、当該大気室１７１内の空気が圧縮されて燃焼室用の吸気口１６５から吸入弁１６７を押し退けて第１燃焼室１２１へと強制的に押し込まれる。この空気の第１燃焼室１２１への強制押し込みによって、当該第１燃焼室１２１内に残留する排気ガスは、連通孔１２５を通って第２燃焼室１２２へと押し出され、さらには間隙１２７ｂを経て室外へと排出される。すなわち、第１燃焼室１２１内に残留する排気ガスは、大気室１７１から流入する空気によって第２燃焼室１２２へと押し出された後、室外へと放出され、第１および第２燃焼室１２１，１２２の、いわゆる掃気が遂行されることとなる。この場合、隔壁部１２３の球面状部分１２３ｂには多数の連通孔１２５が配置されているため、第２燃焼室１２２内の全体にわたって空気が概ね均等に流れ込む。かくして、第１および第２燃焼室１２１，１２２内において、排気ガスから空気への入れ替えが円滑になされ、排気ガスの残留量が減少される。その結果、特に釘打ち込み作業を連続的に行うような場合においては、次回の第１および第２燃焼室１２１，１２２に噴射される燃料と空気との混合比の適正化を図る上で有効となる。
【００４８】
燃焼室壁１２６が後退端に達したとき（図２に示す状態）には、第１および第２燃焼室１２１，１２２内は、新鮮な空気によって満たされる。この場合、本実施の形態では、大気室１７１の最大容積を、第１および第２燃焼室１２１，１２２の最大総容積よりも大きく設定してある。このため、第１および第２燃焼室１２１，１２２内には、それらの容積を上回る容量の空気が送り込まれることとなり、第１および第２燃焼室１２１，１２２内の排気ガスを確実に室外に排出し、新鮮な空気と入れ替えることができる。
【００４９】
また燃焼室壁１２６が後退端に達したときは、電極（陽極）１３３ａがボール１３４に当接し、当該ボール１３４、スプリング１３５および電気配線１２６を介して圧電素子１３８と電気的に接続され、点火動作が許容される。またシール部材１６９が燃焼室用の吸気口１６５に差し込まれて当該吸気口１６５をシールするとともに、吸入弁１６７の背面に当接することで当該吸入弁１６７に対する高圧の作用に備える。またスライドスリーブ１２７の小径部１２７ａの内周面がシリンダ１５３のフランジ部１５３ａの外周面にＯリング１５４を介して摺接し、間隙１２７ｂを閉鎖する。これにより第２燃焼室１２２が密閉空間とされる。かかる状態で、トリガ１０７を引き絞り操作すると、その後は上述した動作が繰り返され、釘打ち作業が遂行されることになる。
【００５０】
上記のように、本実施の形態によれば、容積が変化しない第１燃焼室１２１と、容積が変化する第２燃焼室１２２とを有する燃焼室構造において、燃焼室壁１２６を前後に移動することによって、大気室１７１の容積を変化させ、第２燃焼室１２２内の排気ガスを室外へ排出した後、大気室１７１内に取り込んだ空気を第１燃焼室１２１内に強制的に送り込み、これによって第１燃焼室１２１内に残留する排気ガスを当該第１燃焼室１２１から第２燃焼室１２２を経て室外へ排出する構成としている。その結果、第１燃焼室１２１の容積を変化させることなく、第１および第２燃焼室１２１，１２２内の排気ガスを効率的に室外へ排出し、当該第１および第２燃焼室１２１，１２２内を新鮮な空気で満たすことが可能となる。
すなわち、本実施の形態では、燃焼室が第１および第２燃焼室１２１，１２２から構成される釘打機１０１において、混合気の燃焼効率を高めるべく、第１燃焼室１２１に点火用プラグ１３３を設けるとともに、当該第１燃焼室１２１内で点火部によって点火された混合気の燃焼面が隔壁部１２３の連通孔１２５に概ね同時に到達するように、隔壁部１２３が点火部を中心とする等半径の球面状部分１２３ｂを有する構成としている。このような構成では、第１燃焼室１２１の容積を変化（減少）させて排気ガスを排出することが困難となるが、本実施の形態によれば、第１燃焼室１２１から第２燃焼室１２２への火炎噴射を効率良く行うことで混合気の燃焼効率を高めるべく、第１燃焼室１２１を構成する隔壁部１２３の形状を半球面状に形成するという構成を維持しつつ排気ガスの排出作用を効果的に遂行することができる。
【００５１】
この場合、大気室１７１の最大容積を第１および第２燃焼室１２１，１２２の総容積よりも大きく設定してあるため、第１および第２燃焼室１２１，１２２にそれらの容積を上回る容量の空気を送り込むことによって、排気ガスと空気との入れ替えを確実に行うことができる。釘打ち作業を連続して遂行するような場合、すなわち短時間のうちに第２燃焼室１２２の容積の減少、増大が繰り返されるような場合、当該第２燃焼室１２２から排出された排気ガスがその出口周辺部に存在している可能性がある。そしてこの排気ガスが第２燃焼室１２２の容積が増大されるときに当該燃焼室に再び吸入される、すなわち逆流する可能性がある。本実施の形態では、第１および第２燃焼室１２１，１２２にそれらの容積を上回る容量の空気を送り込む構成とすることによって、いわゆる逆流防止手段を構成しているため、排気ガスの当該燃焼室への逆流を確実に防止することができる。また本実施の形態では、第１燃焼室１２１を容積が変化しない定常的な構成としたことにより、当該第１燃焼室１２１内の中央部に点火装置１３１あるいは燃料供給用のパイプ状部材１４５の湾曲部１４５ｂを配置設定することができる。これにより、第１燃焼室１２１に発生した火炎（可燃性ガスの燃焼面）が第２燃焼室１２２へ均等かつ効率よく噴射させることが可能となる。
【００５２】
また本実施の形態においては、圧電素子１３８と電気的に接続されているボール１３４を、点火部を構成する一方の電極１３３ａに対し対向状に配置し、燃焼室壁１２６が後退端付近へと移動したときに電極１３３ａと接触することで当該電極１３３ａに対する通電を許容し、燃焼室壁１２６が後退端付近よりも前方位置に位置している状態では、電極１３３ａから離間することで当該電極１３３ａに対する通電を規制する構成としている。このような構成を採用することによって、第１および第２燃焼室１２１，１２２に空気を導入し、あるいは排気ガスを排出するために燃焼室壁１２６を移動する構成の釘打機１０１において、点火部に対するコードレスを可能としつつ当該点火部に対する給電を合理的に行うことができる。燃焼室壁１２６が移動する構成の釘打機１０１において、圧電素子１３８と点火部の電極１３３ａとを電気配線で直接に接続する構成にすると、当該電気配線に燃焼室壁１２６の移動を許容するに必要な弛み部分を設定し、他方ハウジング側には電気配線の弛み部分を収容する収容スペースを確保する必要がある。しかるに、本実施の形態によれば、かかる問題を解消することができるとともに、点火部、ひいては燃焼室壁１２６をコードによる制約を受けることなく大幅に移動することができる。
【００５３】
また本実施の形態では、燃焼室壁１２６が後退端付近に移動したとき、すなわち、第１および第２燃焼室１２１，１２２内に可燃性ガスが充填されて当該可燃性ガスの燃焼が可能とされた状態のときに電極１３３ａへの通電を許容する構成であり、これにより第１燃焼室１２１内での点火を、点火が必要とされる時期に確実に遂行することが可能となる。また本実施の形態では、ボール１３４および当該ボール１３４を付勢するスプリング１３５をそれぞれ通電部材とし、ボール１３４が電極１３３ａと接触した状態で当該電極１３３ａとともに所定範囲につき追従動作する構成としている。これにより、通電領域に幅を持たせることができ、給電作用の安定化を図ることが可能になる。また電極１３３ａとボール１３４の接触時における衝撃をスプリング１３４の弾性変形により吸収できるとともに、摩耗が進行しても給電機能を維持することができる。
【００５４】
なお本実施の形態では、第１燃焼室１２１の長軸方向の端部内壁面（エンドスライドプレート１２９）を平坦面によって構成し、その中央部に点火部を配置したが、点火部が配置される中央位置を基準位置として、当該内壁面の周縁に向かうにつれてピストン１５５側へと向かうように、例えばテーパー状あるいは曲面状の凹状部分を有する構成とし、当該凹状部分は、点火部と実質的に面一、すなわち実質的な平坦面をなすように構成してもよい。かかる構成によれば、実際に可燃性ガスを着火する点火部につき、内壁面の凹状部分に面一状に連接させることにより、点火開始の時点から、可燃性ガスの燃焼面が凹状の内壁面に沿って隔壁部１２３側（すなわちピストン１５１側）へと円滑に誘導することが可能となる。
また本実施の形態は、燃焼室が第１および第２燃焼室１２１，１２２に区画された構成の釘打機１０１の場合で説明したが、単一の燃焼室から成立する構成の釘打機に適用してもよい。また本実施の形態では通電制御部を、導電材からなるボール１３４およびスプリング１３５により構成したが、これらに変えて例えばリング状あるいはスリーブ状の通電部材を設け、それらの通電部材に電極１３３ａが挿入することで通電を許容する構成とすることも可能である。また本実施の形態では、ボール１３４が電極１３３ａに直接に接触することで、点火部の通電が許容される構成としたが、間接に接触する構成でもよい。その一例としては、一端が一方の電極１３３ａに接続された導電片を、燃焼室壁１２６のスライドエンドプレート１２９に直接にあるいは適宜ブラケットを介して設定するとともに、当該導電片の他端に端子を設定し、この端子とボール等の通電部材とを対向して配置して当該端子と通電部材との接触あるいは離間によって、点火部に対する通電を許容しあるいは規制する構成である。また本実施の形態は、釘打機の場合で説明しているが、いわゆるステーブルの打ち込み作業に用いられるタッカに適用可能である。
【図面の簡単な説明】
【００５５】
【図１】本実施の形態に係る釘打機の全体構成を示す正面視一部断面図であり、ピストンが上死点に位置する初期状態を示している。
【図２】同じく釘打機の全体構成を示す正面視一部断面図であり、燃焼室壁が後退動作されて第２燃焼室の容積が最大に増大された状態を示している。
【図３】同じく釘打機の全体構成を示す正面視一部断面図であり、ピストンが下死点に移動された釘打ち込み完了状態を示している。
【図４】同じく釘打機の全体構成を示す正面視一部断面図であり、第２燃焼室の排気ガスの排出状態を示している。
【図５】同じく釘打機の全体構成を示す正面視一部断面図であり、第１燃焼室の残留排気ガスの排出状態を示している。
【図６】燃焼室周辺部の拡大断面図であり、第２燃焼室の容積が減少（あるいは増加）する途中状態を示す。
【図７】燃焼室周辺部の拡大断面図であり、第２燃焼室の容積が最大に増加された状態を示す。
【図８】図７のIIX−IIX線断面図である。
【符号の説明】
【００５６】
１０１  釘打機（燃焼式作業工具）
１０３  メインハウジング
１０４  内部空間
１０５  ハンドグリップ
１０６  ハウジングキャップ
１０６ａ  空間
１０６ｂ  通気孔
１０７  トリガ
１０９  マガジン
１１０  射出部
１１１  コンタクトアーム
１１３  逆止弁
１１４  通気口
１２１  第１燃焼室（第１の燃焼室）
１２２  第２燃焼室（第２の燃焼室）
１２３  隔壁部（隔壁）
１２３ａ  平坦面部
１２３ｂ  球面状部分
１２５  連通孔
１２６  燃焼室壁
１２７  スライドスリーブ
１２７ａ  小径部
１２７ｂ  間隙
１２８  ネジ
１２９  スライドエンドプレート
１３１  点火装置
１３３  点火用プラグ
１３３ａ  一方の電極（点火部）
１３３ｂ  他方の電極（点火部）
１３４  ボール（通電制御部）
１３５  スプリング（通電制御部）
１３６  電気配線
１３７  保持部材
１３８  圧電素子（電力供給部）
１４１  燃料噴射装置
１４３  燃料噴射孔
１４５  パイプ状部材
１４５ａ  突出先端部
１４５ｂ  湾曲部
１４６  燃料通路構成部材
１４７  燃料供給通路
１４９  燃料容器
１５１  駆動部
１５３  シリンダ
１５３ａ  フランジ部
１５４  Ｏリング
１５５  ピストン（ピストン部材）
１５５ａ  球面状凹部
１５５ｂ  格納空間
１５７  ピストンロッド
１５９  クッションラバー
１６１  大気室用の吸気口
１６３  吸入弁
１６５  燃焼室用の吸気口
１６７  吸入弁
１６９  シール部材
１７１  大気室
１７３  大気室壁
１７５  固定エンドプレート
１７７  固定スリーブ
１７９  Ｏリング
【図１】
2006000956.tif 000003
【図２】
2006000956.tif 000004
【図３】
2006000956.tif 000005
【図４】
2006000956.tif 000006
【図５】
2006000956.tif 000007
【図６】
2006000956.tif 000008
【図７】
2006000956.tif 000009
【図８】
2006000956.tif 000010